(57)【特許請求の範囲】
【請求項１】
作業者が海底に生存する貝類や海藻類を採取すべく、作業船上から海底に向かって差し込み使用する採取竿と、
その採取竿の先端部を視野角の範囲内に納める水中テレビカメラと、
その水中テレビカメラが撮影した映像をリアルタイムに表示するモニターテレビとを備え、
上記水中テレビカメラと、そのカメラと第１電気配線ケーブルを介して接続された状態にあるモニターテレビと、そのモニターテレビから作業船の搭載バッテリへ接続される予定の第２電気配線ケーブルとをまとめて、開閉蓋付きの携帯可能な配線中継ボックスに収納すると共に、その配線中継ボックスを作業船の周縁部へ着脱自在の支持スタンドにより取り付け固定して、
上記配線中継ボックス内から導出した水中テレビカメラを、採取竿の途中へ取り付け使用する一方、同じく中継ボックス内のモニターテレビから導出した第２電気配線ケーブルを、作業船の搭載バッテリへ接続使用して、
作業者が作業船上においてモニターテレビを目視しながら、上記採取竿を手技操作することを特徴とする船上からの採貝・採藻作業システム。
【請求項２】
配線中継ボックスの内部を仕切り壁板により、開閉蓋付きの前室と別個な開閉蓋付きの後室に区成して、
その前室と後室との何れか一方に水中テレビカメラと第１電気配線ケーブルを収納し、残る他方にモニターテレビと第２電気配線ケーブルを収納すると共に、
上記仕切り壁板を貫通する第１電気配線ケーブルによって、水中テレビカメラとモニターテレビとを接続状態に保ったことを特徴とする請求項１記載の船上からの採貝・採藻作業システム。                                                                  ．
【請求項３】
配線中継ボックスをその支持スタンドへ、垂直軸線廻りの旋回自在に枢支させると共に、その旋回角度を調整セットできるように定めたことを特徴とする請求項１記載の船上からの採貝・採藻作業システム。
【請求項４】
配線中継ボックスをその支持スタンドへ、水平軸線廻りの傾斜自在に枢支させると共にその傾斜角度を調整セットできるように定めたことを特徴とする請求項１記載の船上からの採貝・採藻作業システム。
【請求項５】
配線中継ボックスを直方体として、その上側の短辺に携帯用の把手を設置すると共に、左右両側の長辺に左右一対の平行な昇降凸条を列設して、
その左右一対の昇降凸条を支持スタンドに対応形成した左右一対の昇降ガイド凹条へ、上方から抜き差し自在に差し込み装填することを特徴とする請求項１記載の船上からの採貝・採藻作業システム。
【請求項６】
配線中継ボックスの支持スタンドを作業船の周縁部へ着脱自在に挟み付けられる据付け枠台と、その据付け枠台へ基端部が上方から抜き差し自在に差し込まれるクランク型の旋回支柱と、その旋回支柱の先端部へやはり上方から抜き差し自在に差し込まれる配線中継ボックス受けアームとから、
上記据付け枠台に対して旋回支柱を垂直軸線廻りに旋回できるように、更にその旋回支柱に対して配線中継ボックス受けアームを別な垂直軸線廻りに旋回できるように組み立てユニット化したことを特徴とする請求項１記載の船上からの採貝・採藻作業システム。
【発明の詳細な説明】
【技術分野】
【０００１】
本発明は海底に生存しているアワビ、ウニ、サザエ、ナマコなどの貝類や、ワカメ、モズクなどの海藻類を船上から便利良く採取するための作業システムに関する。
【背景技術】
【０００２】
従来の沿岸（磯）漁業では、漁師（作業者）が小型ボート上へ不自然な腹這いの姿勢状態となり、足で舵を操作する一方、口に喰えた箱眼鏡で海底を覗きながら、両手に握り持った採取竿を操作して、上記貝類や海藻類の採取作業を行っており、その作業が長時間に及ぶ苛酷な重労働であって、危険も伴なうため、後継者の減少する原因になっている。
【０００３】
他方、海女が潜水して、海底から貝類や海藻類を採取作業する漁法もあるが、その海女の後継者も減少しており、総じて漁業就労者の減少が社会問題になっている現状である。
【０００４】
その結果、例えば採取されずに増加するウニが、海藻を食べると、同じ海藻を餌とするアワビやサザエが減少してしまうというような悪い自然現象を招来するのである。
【０００５】
この点、各種貝類・海藻類の採取や、川底の調査、川底に沈む証拠物件の探索などを、船上から安楽に行うための装置として、特許文献１〜３が提案されている。そのうち、特に特許文献１には作業棒の先端部へ採貝用の熊手や銛などを取り付けて、漁師が使うことも説明されている点で、本発明に最も近似する分野の先行技術文献であると言える。
【先行技術文献】
【特許文献】
【０００６】
【特許文献１】特開２００３−２００８８９号公報
【特許文献２】特開２００３−８７６０９号公報
【特許文献３】実開平１−６７５９６号公報
【発明の概要】
【発明が解決しようとする課題】
【０００７】
ところが、上記特許文献１を代表例に挙げて言えば、その水中ＴＶカメラ装置を使用するに当っては、その前に実際問題として、カメラ（１）やカメラケーブル（６）、液晶モニター、作業棒、その他の必要部材を作業者（漁師）が船内へ持ち込んだ上、液晶モニターを船体へ据え付け固定したり、その液晶モニターとカメラ（１）とを接続配線したりする準備作業が不可欠となるが、その準備作業にはいたずらに多大の時間と労力を要するため、水中ＴＶカメラ装置の使用による船上からの採貝・採藻作業をすばやく開始することができない。
【０００８】
また、その船上からの採貝・採藻作業を終えた後にも、上記液晶モニターとカメラ（１）との接続配線を解いたり、その液晶モニターを船体から取りはずしたりして、必要部材を防犯上船外へ持ち出し帰宅しなければならず、その後片付けの作業も甚だ煩らわしく、いたずらに長時間を要する。
【０００９】
つまり、上記特許文献１に開示された水中ＴＶカメラ装置の構成では、その必要部材が言わばバラバラの状態にあり、液晶モニターを船体へ据え付け固定するための専用器具がなく、その据え付け固定方法も一定しないため、水中ＴＶカメラ装置の使用による採貝・採藻作業を行うたび毎に、一々船上での上記電気配線作業や液晶モニターの据え付け作業などの煩らわしい準備と後片付けを行わねばならず、実際上著しく不便である。
【００１０】
そして、このような問題は上記特許文献２に開示のテレビモニター装置や、上記特許文献３に開示の水中探索装置についても、同様に言えることである。
【課題を解決するための手段】
【００１１】
本発明は上記課題の解決を目的としており、その目的を達成するために、請求項１では作業者が海底に生存する貝類や海藻類を採取すべく、作業船上から海底に向かって差し込み使用する採取竿と、
【００１２】
その採取竿の先端部を視野角の範囲内に納める水中テレビカメラと、
【００１３】
その水中テレビカメラが撮影した映像をリアルタイムに表示するモニターテレビとを備え、
【００１４】
上記水中テレビカメラと、そのカメラと第１電気配線ケーブルを介して接続された状態にあるモニターテレビと、そのモニターテレビから作業船の搭載バッテリへ接続される予定の第２電気配線ケーブルとをまとめて、開閉蓋付きの携帯可能な配線中継ボックスに収納すると共に、その配線中継ボックスを作業船の周縁部へ着脱自在の支持スタンドにより取り付け固定して、
【００１５】
上記配線中継ボックス内から引き出した水中テレビカメラを、採取竿の途中へ取り付け使用する一方、同じく中継ボックス内のモニターテレビから引き出した第２電気配線ケーブルを、作業船の搭載バッテリへ接続使用して、
【００１６】
作業者が作業船上においてモニターテレビを目視しながら、上記採取竿を手技操作することを特徴とする。
【００１７】
又、請求項２では配線中継ボックスの内部を仕切り壁板により、開閉蓋付きの前室と別個な開閉蓋付きの後室に区成して、
【００１８】
その前室と後室との何れか一方に水中テレビカメラと第１電気配線ケーブルを収納し、残る他方にモニターテレビと第２電気配線ケーブルを収納すると共に、
【００１９】
上記仕切り壁板を貫通する第１電気配線ケーブルによって、水中テレビカメラとモニターテレビとを接続状態に保ったことを特徴とする。
【００２０】
請求項３では配線中継ボックスをその支持スタンドへ、垂直軸線廻りの旋回自在に枢支させると共に、その旋回角度を調整セットできるように定めたことを特徴とする。
【００２１】
請求項４では配線中継ボックスをその支持スタンドへ、水平軸線廻りの傾斜自在に枢支させると共に、その傾斜角度を調整セットできるように定めたことを特徴とする。
【００２２】
請求項５では配線中継ボックスを直方体として、その上側の短辺に携帯用の把手を設置すると共に、左右両側の長辺に一対の平行な昇降凸条を列設して、
【００２３】
その左右一対の昇降凸条を支持スタンドに対応形成した左右一対の昇降ガイド凹条へ、上方から抜き差し自在に差し込み装填することを特徴とする。
【００２４】
更に、請求項６では配線中継ボックスの支持スタンドを作業船の周縁部へ着脱自在に挟み付けられる据付け枠台と、その据付け枠台へ基端部が上方から抜き差し自在に差し込まれるクランク型の旋回支柱と、その旋回支柱の先端部へやはり上方から抜き差し自在に差し込まれる配線中継ボックス受けアームとから、
【００２５】
上記据付け枠台に対して旋回支柱を垂直軸線廻りに旋回できる枢支状態として、更にその旋回支柱に対して配線中継ボックス受けアームを別個な垂直軸線廻りに旋回できる枢支状態として組み立てユニット化したことを特徴とする。
【発明の効果】
【００２６】
請求項１の構成によれば、作業船の周縁部（コベリ）へ着脱自在の支持スタンドを介して取り付け固定される配線中継ボックスに、水中テレビカメラと、そのカメラと第１電気配線ケーブルを介して接続された状態のモニターテレビと、そのモニターテレビから作業船の搭載バッテリに接続される予定の第２電気配線ケーブルとが、まとめて（一括して）収納されているため、これを携帯して船内へ持ち込み、その支持スタンドを使用して、作業船の周縁部へ取り付け固定した上、その配線中継ボックスから引き出した第１電気配線ケーブルの水中テレビカメラを、採取竿の途中へ取り付け使用する一方、同じく中継ボックスのモニターテレビから引き出した第２電気配線ケーブルを、作業船の搭載バッテリに接続使用すれば良く、その船上からの採貝・採藻作業を開始するまでの準備作業、就中モニターテレビの据え付け作業やその電気配線作業を誰でも軽快にすばやく行える効果がある。
【００２７】
上記配線中継ボックスとその支持スタンドは採貝・採藻作業のための専用器具をなし、作業船への取付方法が常に一定となり、作業者（漁師）が船上において目視・観察するモニターテレビも、常に一定な配線中継ボックスの内部へ収納された状態にあるため、作業船に対するモニターテレビの据え付け作業やその電気配線作業を一々行う煩らわしさがなく、冒頭に述べた従来技術の課題を確実に解決できるのである。
【００２８】
また、採貝・採藻作業を終えた後片付け作業としても、上記採取竿から取りはずした水中テレビカメラと第１電気配線ケーブルのほか、作業船の搭載バッテリから取りはずした第２電気配線ケーブルを、上記モニターテレビが収納されている配線中継ボックスの内部へ、言わば一緒にまとめて収納すれば良く、その後片付け作業も当初の準備作業と同様に、誰でも軽労力でのすばやく行えるのである。
【００２９】
特に、請求項２の構成を採用するならば、配線中継ボックス内の仕切り壁板を有効に利用して、これにより区画形成された前室と後室との何れか一方へ水中テレビカメラと第１電気配線ケーブルを、残る他方へモニターテレビと第２電気配線ケーブルを、互いに絡らみ合うことなく整然と分けて収納することができ、その使用上の引き出し操作も誤りなく行える効果がある。
【００３０】
請求項３の構成や請求項４の構成を採用するならば、配線中継ボックスとその内部に収納されたモニターテレビを、作業船内に居る作業者（漁師）にとって採貝・採藻作業上、常に目視・観察しやすい位置と方角並びに姿勢状態に保つことができ、その安楽性や作業効率などがますます向上する。
【００３１】
更に、請求項５の構成を採用するならば、その直方体をなす配線中継ボックスの上側短辺に設置された把手により、便利良く持ち運ぶことができるほか、その配線中継ボックスの左右両側（長辺）に列設されている一対の平行な昇降凸条を、支持スタンドに対応形成されている左右一対の昇降ガイド凹条へ、上方から抜き差し自在に差し込み操作するに当っても、その把手を握り持って落し込むだけで良く、その操作を誰もが簡便に行えるにも拘らず、配線中継ボックスを安定良く確固に受け止め保持できる効果がある。
【００３２】
請求項６の構成を採用するならば、配線中継ボックスの支持スタンドを作業船の周縁部（コベリ）へ取り付け固定するに当り、その据付け枠台とクランク型の旋回支柱並びに配線中継ボックス受けアームとの合計３部品を、順次積み重ねて行く毎く差し込むことにより組み立てユニット化でき、しかもその差し込み過程において垂直軸線廻りに旋回させ、所望の旋回角度に調整固定することにより、配線中継ボックスとその内部に収納されたモニターテレビの方向性を、作業者（漁師）にとって常に目視・観察しやすい状態に保てる効果がある。
【図面の簡単な説明】
【００３３】
【図１】本発明に係る採貝・採藻作業システムの使用状態を説明するための斜面図である。
【図２】同じく海底まで採取竿を差し込んだ採取作業中の断面図である。
【図３】採取竿の分解状態を示す斜面図である。
【図４】採取竿の接手構造を示す断面図である。
【図５】図４の変形実施形態を示す断面図である。
【図６】採取竿の先端部にウニ採取用のたも網を取り付けた状態の斜面図である。
【図７】採取竿の先端部にアワビ採取用の引っ掛けフックを取り付けた状態の斜面図である。
【図８】採取竿の先端部にサザエ採取用の掴みフォークを取り付けた状態の斜面図である。
【図９】採取竿の先端部に海藻類採取用のマッカを取り付けた状態の斜面図である。
【図１０】水中テレビカメラを抽出して示す断面図である。
【図１１】図１０の分解斜面図である。
【図１２】全体的な電気配線状態を示す説明図である。
【図１３】図１２の１３−１３線に沿う拡大断面図である。
【図１４】配線中継ボックスとその支持スタンドとの組立状態を示す斜面図である。
【図１５】図１４の前方から見た正面図である。
【図１６】図１５の１６−１６線断面図である。
【図１７】図１５の後方から見た背面図である。
【図１８】図１５の右側面図である。
【図１９】図１５の平面図である。
【図２０】図１５から抜き出した配線中継ボックスだけを示す正面図である。
【図２１】図２０の背面図である。
【図２２】図２０の２２−２２線に沿う拡大断面図である。
【図２３】図２０から前方を開放した配線中継ボックスの正面図である。
【図２４】図２１から後方を開放した配線中継ボックスの背面図である。
【図２５】図２２から前方と後方を開放した配線中継ボックスの側断面図である。
【図２６】図１４から抽出した支持スタンドの据付け枠台を示す正面図である。
【図２７】図２６の右側面図である。
【図２８】同じく支持スタンドの旋回支柱を示す正面図である。
【図２９】支持スタンドの配線中継ボックス受けアームを示す正面図である。
【図３０】図２９の３０−３０線に沿う拡大断面図である。
【図３１】図１の使用状態を拡大して示す側断面図である。
【図３２】図３１の配線中継ボックスを後方へ傾斜させた状態の拡大側面図である。
【図３３】配線中継ボックスを前方へ傾斜させた状態の拡大側面図である。
【図３４】図２の使用状態にある採取竿を船上まで引き上げる過程の断面図である。
【発明を実施するための形態】
【００３４】
以下、図面に基いて本発明の実施形態を詳述すると、その本発明に係る船上からの採貝・採藻作業システムは概して図１、２のような先端部に採取用具（Ｔ）が取り付けられた採取竿（Ｐ）と、海底での採貝・採藻状況を撮影する水中テレビカメラ（Ｃ）と、そのテレビカメラ（Ｃ）が撮影した映像をリアルタイムに表示するモニターテレビ（Ｍ）と、上記水中テレビカメラ（Ｃ）とモニターテレビ（Ｍ）とを接続する第１電気配線ケーブル（１１）と、同じくモニターテレビ（Ｍ）と作業船（Ａ）の搭載バッテリ（１０）とを接続する第２電気配線ケーブル（１２）と、その開閉蓋付きの携帯可能な配線中継ボックス（Ｂ）と、その配線中継ボックス（Ｂ）を作業船（Ａ）へ取り付け固定するための支持スタンド（Ｓ）とから成り立っている。
【００３５】
主要な上記構成部材のうち、先ず採取竿（Ｐ）について具体的に説明すると、これはガラス繊維クロスや好ましくは剛性に富むカーボン繊維クロスなどのＦＲＰクロスに、フェノール樹脂やエポキシ樹脂などの熱硬化性樹脂が含浸されたプリプレグを素材として、そのＦＲＰクロスプリプレグの加熱硬化により、数プライの積層状態に製管されたＦＲＰコンポジット品であり、その作業船（Ａ）上から沿岸（磯）の海底まで到達し得る一定な作用長さ（例えば約５ｍ〜約１０ｍ）の一本物を使用してもさしつかえないが、図３のような悉く同じ太さの元竿（Ｐ１）と少なくとも１本の中継ぎ竿（Ｐ２）並びに先竿（Ｐ３）と、その先竿（Ｐ３）のＡＢＳ樹脂製やナイロン製などの先端アタッチメント（Ｐ４）とから着脱自在に連結一本化することによって、その作用長さを海底までの水深やその他の諸条件に応じて長く又は短かく調整できるものを使用することが好ましい。
【００３６】
つまり、元竿（Ｐ１）と中継ぎ竿（Ｐ２）並びに先竿（Ｐ３）としては、その単位長さが例えば１５００mm〜４０００mmの範囲内で異なり、太さ（直径）が例えば２５mm〜３４mmの範囲内で異なる数種を各々準備しておくと共に、先端アタッチメント（Ｐ４）としてはその後述する取付ベースの断面形状が異なり、長さ（例えば４５０mm）がすべて同じで、太さ（直径）がすべて上記先竿（Ｐ３）と同じ数種を用意しておき、これらを取捨選択し、適当に組み合わせて連結一本化することにより、水深の変化に応じた全体長さ（先に例示した約５ｍ〜約１０ｍ）の採取竿（Ｐ）に仕上げるのである。
【００３７】
この点、図４は上記元竿（Ｐ１）と中継ぎ竿（Ｐ２）、先竿（Ｐ３）並びに先端アタッチメント（Ｐ４）との合計４本から成る採取竿（Ｐ）における隣り合う竿同士の連結部分並びに先竿（Ｐ３）と先端アタッチメント（Ｐ４）との連結部分に悉く共通する接手構造を抽出して示しており、（１３）はその隣り合う一方の竿の雄側となる端部に形成された細い差込み接手、（１４）はその差込み接手（１３）の中空内部に切り離し一端部が固着された円弧状の板バネであって、その板バネ（１４）の自由な切り離し他端部からは差込み接手（１３）を貫通する連結ピン（１５）が、径方向への一体的に植立されている。
【００３８】
そして、その連結ピン（１５）は板バネ（１４）の背圧を受けて、常時細い差込み接手（１３）の円周面から突出する状態に保たれており、そのためその弾圧力に抗して上記差込み接手（１３）を、隣り合う他方の竿の雌側となる端部へ差し込み操作すれば、その一旦没入した連結ピン（１５）が、その他方の竿の雌側となる端部に対応形成されているピン受け入れ孔（１６）へ、自づと受け入れ係止されることになり、ここに隣り合う竿同士や先竿（Ｐ３）と先端アタッチメント（Ｐ４）とを、その円周面が連続する面一状態に連結一本化し得るのである。
【００３９】
その場合、図４の接手構造では上記連結ピン（１５）に板バネ（１４）での背圧を付与しているが、その図４と対応する図５の変形実施形態に示す如く、上記板バネ（１４）に代る圧縮コイルバネ（１７）を採用して、これにより連結ピン（１５）を常時突出する方向へ弾圧付勢しても良い。（１８）はその圧縮コイルバネ（１７）を上記差込み接手（１３）の中空内部に封入するためのバネリテーナーである。
【００４０】
上記採取竿（Ｐ）の先端部をなす採取用具（Ｔ）としては、海底に生存しているウニ、アワビ、サザエ、ナマコなどの貝類やワカメ、モズクなどの海藻類における採取目標物（Ｏ）に適応した各種の形態品が取捨選択され、採取竿（Ｐ）の先端部へ着脱・交換自在に取り付け使用されることとなる。
【００４１】
その場合、上記採取竿（Ｐ）における先竿（Ｐ３）の先端部へ連結使用される先端アタッチメント（Ｐ４）として、その採取用具（Ｔ）の取付ベース（１９）となる先端部の断面形状が、例えば図６のような円形や図７のようなＤ字形、図８（ａ）のような三角形、図８（ｂ）のような四角形、図９のような楕円形などに造形された異なる数種を準備しておき、これらを上記先竿（Ｐ３）の先端部へ互換的に連結一本化すると共に、その取付ベース（１９）の断面形状が円形の先端アタッチメント（Ｐ４）には図６のようなウニの採取用具（Ｔ）となるたも網（掬い網）（２０）を、同じく断面形状がＤ字形の先端アタッチメント（Ｐ４）には図７のようなアワビの採取用具（Ｔ）となる引っ掛けフック（２１）を、上記断面形状が三角形や四角形の先端アタッチメント（Ｐ４）には図８のようなサザエの採取用具（Ｔ）となる弾力性がある掴みフォーク（２２）を、同じく上記断面形状が楕円形の先端アタッチメント（Ｐ４）には図９のような海藻類の採取用具（Ｔ）となるマッカ（２３）を、各々結束線材（２４）などにより安定良く締め付け固定することができるように設定して、その取り付け上の利便性と取付状態の強度アップなどを図ることが望ましい。
【００４２】
次に、水中テレビカメラ（Ｃ）について言えば、これは図１０、１１から明白なように、ＡＢＳ樹脂やその他の高強度な合成樹脂から一定な太さの円筒形に造形された本体フード（鏡胴）（２５）と、その長手中心線（光軸）上に内蔵設置されたカメラレンズ（２６）と、そのカメラレンズ（２６）の周囲へ点在分布状態に並列設置された複数の照明用白色ＬＥＤ（発光ダイオード）（２７）と、上記本体フード（２５）のポリカーボネート樹脂やアクリル樹脂などから成る透明なフロントカバープレート（２８）とを備えている。
【００４３】
（２９）は上記本体フード（２５）の内部に複数本のピラー（３０）を介して固定支持された円形のレンズホルダーであり、その中心にカメラレンズ（２６）と周辺に複数の白色ＬＥＤ（２７）とが取り付けられている。（３１）は同じくピラー（３０）を介して、本体フード（２５）の内部に固定支持されたプリント配線基板であり、これに撮像素子（エリヤイメージセンサー）が実装されているほか、上記白色ＬＥＤ（２７）や第１電気配線ケーブル（１１）の先端部なども接続されている。
【００４４】
（３２）は上記本体フード（２５）の前方から水密用のＯリング（３３）を介して螺合締結されたヘッドカバー、（３４）は同じく本体フード（２５）の後方からやはり水密用のＯリング（３５）を介して螺合締結されたテールカバー、（３６）は上記第１電気配線ケーブル（１１）を受け持つゴムブッシュである。
【００４５】
上記水中テレビカメラ（Ｃ）の撮像素子としてはＣＭＯＳイメージセンサーが採用されており、その受像部に入った光を映像信号に変換して、フレキシブルな第１電気配線ケーブル（１１）により上記モニターテレビ（Ｍ）へ送信するようになっている。その水中テレビカメラ（Ｃ）における就中カメラレンズ（２６）の周囲には高輝度な照明用白色ＬＥＤ（２７）の複数が点在分布状態に並列されているため、海底の暗い所や濁った所などでも、又夜間でも鮮明な映像を得られるのである。
【００４６】
そして、上記水中テレビカメラ（Ｃ）の本体フード（２５）は図１２、１３のような言わば角張った（菱形の）眼鏡型のクランプ金具（３７ａ）（３７ｂ）を介して上記採取竿（Ｐ）の途中、好ましくは採取竿（Ｐ）の先端部から一定距離（例えば約１０００mm〜約１２００mm）（Ｌ）だけ隔てた位置へ取り付け固定されることになる。（３８）は上記クランプ金具（３７ａ）（３７ｂ）を締め付け固定する複数のネジ締結具であるが、その中間位置のネジ締結具（３８）を緩めることによって、両クランプ金具（３７ａ）（３７ｂ）を図２４のように折りたたむことができる。
【００４７】
その場合、採取竿（Ｐ）の先端部に取り付け固定される上記採取用具（Ｔ）は、水中テレビカメラ（Ｃ）における一定な視野角（画角）（θ）の範囲内に納まり、その採取用具（Ｔ）による貝類や海藻類の採取状況を確実に撮影することができるようになっている。
【００４８】
また、その水中テレビカメラ（Ｃ）を採取竿（Ｐ）の長手方向に沿って前後に移動調整し、その取付位置を変えることによって、先に一言した採取目標物（Ｏ）だけを大きくズームアップして確実に採取したり、その目標物（Ｏ）の周囲まで広範囲に撮影して、残余の目標物（Ｏ）を洩れなく把握したりすることも可能である。
【００４９】
先に一言したモニターテレビ（Ｍ）は映像表示画面（好ましくは高輝度なＴＦＴ液晶画面）（３９）を有し、適当な長さ（例えば約１５ｍ〜約２０ｍ）の第１電気配線ケーブル（１１）を介して、上記水中テレビカメラ（Ｃ）と接続配線される一方、その第１電気配線ケーブル（１１）よりも短かい長さのフレキシブルな第２電気配線ケーブル（１２）を介して、作業船（Ａ）の搭載バッテリ（ＤＣ１２Ｖ）（１０）と接続配線されることにより、水中テレビカメラ（Ｃ）が撮影した採取状況の映像を、その画面（３９）へリアルタイムに表示する。
【００５０】
その場合、モニターテレビ（Ｍ）にはモード切替えスイッチ（４０）を設けておき、これを作業者（漁師）が１回押す毎に又は９０度づつ廻す毎に、その画面（３９）に表示される映像が採取竿（Ｐ）の先端部（採取用具）を中心として、９０度づつ（上下左右へ）方向変換するように定めることが好ましい。そうすれば、採取目標物（Ｏ）を探索上見やすくなり、採取竿（Ｐ）の先端部（採取用具）をすばやく適確に動かして、その目標物（Ｏ）の採取効率を著しく向上させることができる。（４１）は上記モニターテレビ（Ｍ）の電源オン・オフスイッチである。
【００５１】
更に、上記開閉蓋付きの携帯可能な配線中継ボックス（Ｂ）について説明すると、これは図１４〜２５に示すような概して直方体をなし、その内部に上記水中テレビカメラ（Ｃ）と、そのテレビカメラ（Ｃ）と第１電気配線ケーブル（１１）を介して接続された状態にあるモニターテレビ（Ｍ）と、そのモニターテレビ（Ｍ）から導出して作業船（Ａ）の搭載バッテリ（１０）に接続される予定の第２電気配線ケーブル（１２）とを、まとめて（一括して）収納し得るようになっている。
【００５２】
即ち、配線中継ボックス（Ｂ）は繊維強化樹脂（ＦＲＰ）やその他の軽量・高強度な樹脂製品として、その内部が仕切り壁板（４２）を介して前室（Ｆ）と後室（Ｒ）との２室に区画形成されている。
【００５３】
図示の実施形態では、前室（Ｆ）の囲い枠板（４３）と後室（Ｒ）の囲い枠板（４４）とが図２０〜２５から明白なように、垂直の仕切り壁板（４２）を挟み付ける状態にフランジ接合されており、そのフランジ接合部には断面ほぼＵ字形の防水バンド（４５）が額縁状態に巻き付けられた上、複数の貫通ボルトとナットとから成るネジ締結具（４６）によって固定一体化されている。
【００５４】
上記配線中継ボックス（Ｂ）の前室（Ｆ）を形作る囲い枠板（４３）の開口前面（窓）には、水平の仕切り桟（４７）が図２０、２２のように横断しているが、これによって前室（Ｆ）の内部が上下に仕切り細分されているわけではなく、連通状態にある。
【００５５】
（４８）（４９）は上記前室（Ｆ）を前方から開閉する上下一対（合計２枚）の開閉蓋であり、その仕切り桟（４７）よりも上側の開閉蓋（４８）は上記囲い枠板（４３）の上部（上記直方体の上側短辺）へ、水平な枢支ピン（蝶番）（５０）によって起伏的な回動自在に取り付けられている一方、上記仕切り桟（４７）よりも下側の開閉蓋（４９）は同じく囲い枠板（４３）の下部（同じく直方体の下側短辺）へ、やはり水平な枢支ピン（蝶番）（５１）によって起伏的な回動自在に取り付けられている。
【００５６】
そのため、上記前室（Ｆ）における上側の開閉蓋（４８）を図３１、３２に例示する如く、適当な傾斜角度（α）に調整セットすることにより、これを日除けや雨除けなどに役立つ張り出し鍔（庇）として、その前室（Ｆ）の上側に収納されるモニターテレビ（Ｍ）の映像表示画面（３９）を容易に目視できる利点がある。
【００５７】
（５２）（５３）は上記開閉蓋（４８）（４９）の操作レバーであり、これとの一体的な回動アーム（５４）（５５）が上記前室（Ｆ）の仕切り桟（４７）による開口縁部へ、内側から係止し得るようになっている。尚、上記仕切り桟（４７）よりも下側の開閉蓋（４９）は囲い枠板（４３）の下部に代えて、その仕切り桟（４７）へ水平な枢支ピン（蝶番）（５１）により回動自在に取り付けても良い。
【００５８】
他方、（５６）は後室（Ｒ）における後方からの開閉蓋であり、図２１、２２のように、上記前室（Ｆ）の開閉蓋（４８）（４９）よりも大きな１枚として、その後室（Ｒ）を形作る囲い枠板（４４）の上部（上記直方体の上側短辺）へ、やはり水平な枢支ピン（蝶番）（５７）により起伏的な回動自在に取り付けられている。（５８）はその開閉蓋（５６）の操作レバーであり、これとの一体的な回動アーム（５９）が、上記後室（Ｒ）における囲い枠板（４４）の開口縁部へやはり内側から係止し得るようになっている。
【００５９】
その場合、図２２から明白なように、上記配線中継ボックス（Ｂ）の後室（Ｒ）は前室（Ｆ）よりも比較的深く形成されており、その内部へ水中テレビカメラ（Ｃ）と上記第２電気配線ケーブル（１２）よりも著しく長い第１電気配線ケーブル（１１）とを、容易・確実に収納できるようになっているが、その開閉蓋（５６）は図示のような囲い枠板（４４）の上部に代る下部（上記直方体の下側短辺）へ、水平な枢支ピン（蝶番）（５７）を介して回動自在に取り付けてもさしつかえない。
【００６０】
（６０）は上記配線中継ボックス（Ｂ）におけるフランジ接合部の左右両側（上記直方体の両長辺）へ平行な一対として、その防水バンド（４５）をも被覆する状態に取り付け固定された断面ほぼコ字形のステンレス鋼板から成る剛性な昇降凸条であり、後述する支持スタンド（Ｓ）側の対応的な昇降ガイド凹条へ抜き差し自在に差し込み装填されるようになっている。
【００６１】
つまり、配線中継ボックス（Ｂ）を言わばカセット又はカートリッジとして、その支持スタンド（Ｓ）へ着脱自在に取り付けることができるようになっているのである。
【００６２】
また、（６１）は同じく配線中継ボックス（Ｂ）における上記フランジ接合部の上側（上記直方体の上側短辺）へ、やはりその防水バンド（４５）をも被覆する状態に取り付け固定された携帯用の把手であり、ここを片手で握り持ちながら、上記配線中継ボックス（Ｂ）を携帯したり、その昇降凸条（６０）を支持スタンド（Ｓ）側の昇降ガイド凹条へ、上方から抜き差し自在に差し込み装填したりすることができるようになっている。
【００６３】
そして、図２２〜２５から明白なように、上記配線中継ボックス（Ｂ）における前室（Ｆ）の好ましくは仕切り桟（４７）よりも上側には、モニターテレビ（Ｍ）が安定・確固な状態に収納され、同じく前室（Ｆ）の残る下側にはそのモニターテレビ（Ｍ）から導出して作業船（Ａ）の搭載バッテリ（１０）へ接続される予定の第２電気配線ケーブル（１２）が、その巻き曲げ状態に収納されるようになっている。（６２ａ）（６２ｂ）はその第２電気配線ケーブル（１２）の先端部に付属する一対の接続端子（ワニ口クリップ）を示している。
【００６４】
（６３）は上記モニターテレビ（Ｍ）の保持ケースであって、硬質な合成樹脂からの段付き受け皿形態をなし、図２２、２５のように、その底面が垂直な上記仕切り壁板（４２）に取り付け固定されており、その保持ケース（６３）によって安定良く固定保持された状態にあるモニターテレビ（Ｍ）の映像表示画面（３９）を、配線中継ボックス（Ｂ）の上記前室（Ｆ）が開蓋された状態のもとで、その前方から目視・観察することができる。（６４）はモニターテレビ保持ケース（６３）に開口形成された第２電気配線ケーブル用の導出孔である。
【００６５】
他方、上記配線中継ボックス（Ｂ）の後室（Ｒ）には水中テレビカメラ（Ｃ）と、そのテレビカメラ（Ｃ）から導出する第１電気配線ケーブル（１１）とが収納されるようになっており、しかもその第１電気配線ケーブル（１１）は垂直な上記仕切り壁板（４２）とモニターテレビ保持ケース（６３）の底面を貫通することによって、そのモニターテレビ（Ｍ）と水中テレビカメラ（Ｃ）とを予じめ接続配線した状態にある。（６５）はその仕切り壁板（４２）とモニターテレビ保持ケース（６３）の底面に開口形成された第１電気配線ケーブル用の貫通孔である。
【００６６】
その場合、上記仕切り壁板（４２）の中央部には合成樹脂から成る四角形なカメラ受け入れ篭（６６）の底面が取り付け固定されており、その内部に水中テレビカメラ（Ｃ）が安全に収納されている。（６７）はそのカメラ受け入れ篭（６６）の開口縁部に付与された第１電気配線ケーブル用の導出切欠、（６８）は上記後室（Ｒ）の開閉蓋（５６）からカメラ受け入れ篭（６６）の内部へ一体的に張り出されたカメラ押えパッドであって、ゴムやスポンジなどのクッション材から成り、上記水中テレビカメラ（Ｃ）を動かないように弾圧して、その傷付きなどを防ぐ。
【００６７】
上記水中テレビカメラ（Ｃ）とモニターテレビ（Ｍ）とを接続した状態にある第１電気配線ケーブル（１１）は、そのモニターテレビ（Ｍ）から導出する別な第２電気配線ケーブル（１２）に比して著しく長いが、その配線中継ボックス（Ｂ）における上記後室（Ｒ）の中央部に固定設置されたカメラ受け入れ篭（６６）を言わば巻き芯として、その周囲へ図２２、２４のように上記第１電気配線ケーブル（１１）を容易に整然と巻き付け収納することができ、洗浄しやすい篭形態の採用とも相俟って、著しく便利である。
【００６８】
次に、上記配線中継ボックス（Ｂ）の支持スタンド（Ｓ）について説明すると、これは剛性な金属製品（好ましくはステンレス鋼板からの加工品）であり、作業船（Ａ）への据付け枠台（６９）と、クランク型の旋回支柱（７０）と、一定長さ（Ｗ）の配線中継ボックス受けアーム（７１）とから、全体として図１４〜１９のように組み立てユニット化されている。
【００６９】
即ち、作業船（Ａ）への据付け枠台（６９）は図２６、２７のように、一定間隔（ｄ）を保つ左右一対の万力（７２ａ）（７２ｂ）と、その相互間に起立固定された垂直の軸受け管（７３）とを備えており、その万力（７２ａ）（７２ｂ）となる回動ネジハンドル（７４）の進退操作によって、作業船（Ａ）の周縁部（コベリ）へ着脱自在に挟み付け固定されるようになっている。（７５）は上記軸受け管（７３）へ進退自在に螺入された押えボルト、（７６）は回動ネジハンドル（７４）の筒状軸受けナット、（７７）は同じく回動ネジハンドル（７４）の先端部をなす押え座である。
【００７０】
また、クランク型の旋回支柱（７０）は図２８のように、その一定の半径長さ（ｒ）となる水平な旋回プレート（７８）の基端部（一端部）から一体的に垂下する差込み脚管（７９）と、同じく先端部（他端部）から一体的に垂立する軸受け管（８０）とを備えており、その差込み脚管（７９）が上記据付け枠台（６９）の軸受け管（７３）へ、上方から抜き差し自在に差し込まれるようになっている。
【００７１】
その際、旋回支柱（７０）を昇降させて、その設置高さを調整したり、同じく旋回支柱（７０）をその基端部の垂直軸線（Ｙ１−Ｙ１）廻りに所望の角度だけ旋回させて、先端部（軸受け管）の方角や位置などを変更したりして、採貝・採藻作業上モニターテレビ（Ｍ）を見やすく位置決めセットすることができる。その旋回角度や設置高さの位置決め固定は、上記据付け枠台（６９）側の押えボルト（７５）を螺進させて、旋回支柱（７０）の差込み脚管（７９）を押え付ければ良い。（８１）は上記旋回支柱（７０）の軸受け管（８０）へ進退自在に螺入された押えボルトである。
【００７２】
更に、上記配線中継ボックス受けアーム（７１）は図２９に示すような一定長さ（Ｗ）の丸棒から成り、その先端側（一端側）から一体的に垂立する左右一対の平行な昇降ガイド凹条（８２）が、上記配線中継ボックス（Ｂ）側の昇降凸条（６０）を受け入れるようになっている。
【００７３】
その場合、配線中継ボックス（Ｂ）は前室（Ｆ）と後室（Ｒ）との逆向き（反転状態）であっても、その左右一対の昇降凸条（６０）を配線中継ボックス受けアーム（７１）側の昇降ガイド凹条（８２）へ同じように支障なく差し込み使用することができる。そのため、図示の実施形態とは逆に、前室（Ｆ）の深さを後室（Ｒ）の深さより深く形成してもさしつかえない。
【００７４】
また、配線中継ボックス受けアーム（７１）の基端側（他端側）は角張った（正多角形の）クランプ金具（８３）によって抱持されている。（８４）はそのクランプ金具（８３）を締め付け固定する複数のネジ締結具、（８５）は同じくクランプ金具（８３）の下端部から一体的に張り出す台座であり、その台座（８５）の中央部から一体的に垂下する差込み脚管（８６）が、上記旋回支柱（７０）側の軸受け管（８０）へ上方から抜き差し自在に差し込まれるようになっている。
【００７５】
その際、上記配線中継ボックス受けアーム（７１）を昇降させて、その設置高さを調整したり、同じく受けアーム（７１）をその基端側の垂直軸線（Ｙ２−Ｙ２）廻りに所望の角度だけ旋回させて、その先端側の方角や位置などを変更したりして、やはり採貝・採藻作業上モニターテレビ（Ｍ）を見やすく位置決めセットすることができる。その旋回角度や設置高さの位置決め固定は、上記旋回支柱（７０）側の押えボルト（８１）を螺進させて、クランプ金具（８３）における台座（８５）の差込み脚管（８６）を押え付ければ良い。
【００７６】
しかも、上記配線中継ボックス受けアーム（７１）は図３０の鎖線で示す如く、その一定長さ（Ｗ）だけ延在する丸棒の水平軸線（Ｘ−Ｘ）廻りに、所望の角度（β）（γ）づつ前後方向へ傾斜させて、これに受け止め保持された配線中継ボックス（Ｂ）と延いてはモニターテレビ（Ｍ）を、採貝・採藻作業上見やすい姿勢状態に調整セットすることができるようになっている。
【００７７】
その傾斜角度（β）（γ）の位置決め固定は、上記正多角形に角張ったクランプ金具（８３）のネジ締結具（８４）を強く締め付けて、これに抱持された丸棒の回動を許さないことにより達成することができる。
【００７８】
（８７）は上記配線中継ボックス受けアーム（７１）の基端側から、そのクランプ金具（８３）に縦長として切り抜かれた長孔（８８）を通じて、一体的に張り出された傾斜限度規定ストッパーの前後一対であり、上記丸棒に植え込まれたボルトから成る。そのストッパー（８７）が長孔（８８）の開口縁部へ係止することにより、規定されることとなる傾斜角度（β）（γ）の限度としては、前後方向への何れも約３０度に設定し、これよりも下方へ転倒しないように保つことが好ましい。
【００７９】
尚、上記受けアーム（７１）に受け止められた配線中継ボックス（Ｂ）の傾斜操作は、その配線中継ボックス（Ｂ）を片手で保持しながら前方又は後方へ傾斜させても良いが、上記傾斜限度規定ストッパー（８７）を長く張り出す操作レバーとして、これを片手で握り持ちながら前方又は後方へ傾斜させてもさしつかえない。
【００８０】
本発明に係る採貝・採藻作業システムは上記した構成を具備しており、その使用に当っては水中テレビカメラ（Ｃ）と、そのカメラ（Ｃ）と第１電気配線ケーブル（１１）を介して接続された状態にあるモニターテレビ（Ｍ）と、そのモニターテレビ（Ｍ）から作業船（Ａ）の搭載バッテリ（１０）に接続される予定の第２電気配線ケーブル（１２）とが、図２０〜２２のようにまとめて（一括して）収納された配線中継ボックス（Ｂ）と、その配線中継ボックス（Ｂ）を作業船（Ａ）へ取り付けるための支持スタンド（Ｓ）とを携帯して、沿岸（磯）に停留中の作業船（Ａ）へ持ち込む。
【００８１】
作業船（Ａ）としては、船外機（図示省略）付きの小型ボート（例えば長さが約８ｍ〜約１０ｍ、幅が約２ｍ〜約２．５ｍ）が使用される通例であり、その周縁部（コベリ）の作業しやすい位置へ図１５〜１７や図１、２、３１のように、上記支持スタンド（Ｓ）の据付け枠台（６９）を万力（７２ａ）（７２ｂ）によって、安定裡に挟み付け固定する。
【００８２】
そして、図１４〜１９から明白なように、その据付け枠台（６９）側の軸受け管（７３）へ上方から旋回支柱（７０）側の差込み脚管（７９）を差し込み、その旋回支柱（７０）側の軸受け管（８０）へ更に上方から配線中継ボックス受けアーム（７１）側の差し込み脚管（８６）を差し込む。
【００８３】
その際には旋回支柱（７０）を昇降させたり、これを垂直軸線（Ｙ１−Ｙ１）廻りに所望の角度だけ旋回させたり、また配線中継ボックス受けアーム（７１）を昇降させたり、これを別個な垂直軸線（Ｙ２−Ｙ２）廻りに所望の角度だけ旋回させたりして、その受けアーム（７１）に受け止め保持される配線中継ボックス（Ｂ）の設置高さや位置（船内に居る作業者からの距離が近いか遠いか）並びに方向性（その作業者の正面になるか否か）などを、１人の作業者（漁師）にとって船上からの採貝・採藻作業しやすく調整セットする。上記旋回角度の調整状態を、その対応的な押えボルト（７５）（８１）によって固定することは、言うまでもない。
【００８４】
また、配線中継ボックス受けアーム（７１）をその丸棒の水平軸線（Ｘ−Ｘ）廻りに、前方又は後方へ所望の角度（β）（γ）だけ傾斜させて、その受けアーム（７１）に受け止め保持される配線中継ボックス（Ｂ）と延いてはモニターテレビ（Ｍ）を、やはり作業者（漁師）にとって採貝・採藻作業上、目視・観察しやすい姿勢状態に調整セットする。
【００８５】
この点、図３１、３２は配線中継ボックス（Ｂ）を後方へ約３０度だけ傾斜させた使用状態を示している。その後方へ傾斜した角度（γ）の調整状態と前方へ傾斜した角度（β）の調整状態は、何れもクランプ金具（８３）のネジ締結具（８４）によって固定維持される。
【００８６】
作業船（Ａ）との関係上、上記支持スタンド（Ｓ）の各種調整を終えたならば、その配線中継ボックス受けアーム（７１）側の昇降ガイド凹条（８２）へ配線中継ボックス（Ｂ）側の昇降凸条（６０）を、図１４〜１９のように上方から落し込む如く差し込み装填する。但し、その差し込み装填を行った後に、上記支持スタンド（Ｓ）の各種調整操作を行っても勿論良く、その順序は問わない。
【００８７】
何れにしても、作業者にとって作業船（Ａ）における採貝・採藻作業しやすい位置へ支持スタンド（Ｓ）を介して、上記配線中継ボックス（Ｂ）を取り付け固定したならば、その採貝・採藻作業を開始するための準備としては一応終わるので、その中継ボックス（Ｂ）の後室（Ｒ）から引き出した第１電気配線ケーブル（１１）の先端部にある水中テレビカメラ（Ｃ）を、図２や図１２、１３のように採取竿（Ｐ）の途中へ取り付け固定する。
【００８８】
その取り付けに当っては、図２４のような水中テレビカメラ（Ｃ）の折りたたみ状態にある眼鏡型クランプ金具（３７ａ）（３７ｂ）の一方を、図１２、１３のように引き伸ばし展開して、そのネジ締結具（３８）の締め付けにより採取竿（Ｐ）へ固定すれば良い。また、その水中テレビカメラ（Ｃ）の第１電気配線ケーブル（１１）を採取竿（Ｐ）に沿わせて結束しておくことにより、その採取竿（Ｐ）の後述する手技操作中に、第１電気配線ケーブル（１１）がいたずらに振れ動くことを予防することが望ましい。
【００８９】
その場合、採取竿（Ｐ）の先端部（採取用具）がカメラレンズ（２６）における視野角（画角）（θ）の範囲内に納まるように、その水中テレビカメラ（Ｃ）の取付位置を決定する。その取付位置を採取竿（Ｐ）の長手方向に沿って移動調整することにより、採取目標物（Ｏ）だけを大きくズームアップしたり、その目標物（Ｏ）の周囲まで広範囲に撮影したりするように定めても良い。
【００９０】
他方、上記配線中継ボックス（Ｂ）における前室（Ｆ）の下側から第２電気配線ケーブル（１２）を引き出して、図１２のように作業船（Ａ）の搭載バッテリ（１０）へ接続すると共に、同じく前室（Ｆ）の上側に収納されているモニターテレビ（Ｍ）の映像表示画面（３９）を、目視・観察できる開蓋状態に保つ。
【００９１】
上記採取用具（Ｔ）としては、その採取目標物（Ｏ）にふさわしい形態品が採取竿（Ｐ）の先端部に取り付け使用されることとなるが、これを今図６に例示したウニのたも網（掬い網）（２０）として、そのウニの採取作業について具体的に説明すると、１人の作業者（漁師）が図１や図３１のような作業船（Ａ）上の作業しやすい適当な位置へ、好ましくは所謂腰掛ける姿勢状態に乗り、上記モニターテレビ（Ｍ）の電源オン・オフスイッチ（４１）をオン操作するほか、作業者が両手で把持した採取竿（Ｐ）を船上から海底に向かって差し込み、その先端部の上記たも網（２０）を動かして、海底に生息しているウニを採取するのであるが、その作業過程では水中テレビカメラ（Ｃ）の撮影しているライブ映像が上記モニターテレビ（Ｍ）の映像表示画面（３９）に表示されるため、これを作業者が目視・観察しながら、ウニを次々と適確に探し出し、採取竿（Ｐ）とその先端部のたも網（２０）を手技での巧みに動かして、漏れなく掬い入れれば良い。その際、採取竿（Ｐ）は耐久強度と軽量さを兼ね備えたＦＲＰコンポジット製品であるため、その巧みな手技操作に役立つ。
【００９２】
また、採取竿（Ｐ）として上記したような単位長さが各々異なる数種の元竿（Ｐ１）と中継ぎ竿（Ｐ２）並びに先竿（Ｐ３）とから着脱自在に連結一本化する構成を採用するならば、その船上から海底への差し込み操作時に、万一水深と対応せず、使い難いことが起ったとしても、すぐに手元側から継ぎ足して長くしたり、逆に引き抜いて短かくしたりする調整を行えるため、著しく便利である。
【００９３】
そして、上記たも網（２０）の内部に一定量（例えば約２０個〜約３０個）のウニが入ったことを、モニターテレビ（Ｍ）の映像表示画面（３９）から目視・確認できた時には、上記採取竿（Ｐ）を海底から船上まで引き上げ操作して、その先端部のたも網（２０）から作業船（Ａ）内へウニを取り込み、適当な容器（図示省略）へ収納するのであるが、その引き上げ過程では図３４のように採取竿（Ｐ）の根元部付近を作業船（Ａ）の周縁部（コベリ）へ接当させながら、その接当部を言わば回動支点として、上記採取竿（Ｐ）を矢印（Ｚ１）（Ｚ２）のように廻し上げると同時に、別な矢印（Ｅ１）（Ｅ２）のように滑らせる如く作業船（Ａ）へ引き寄せるか、又はその廻し上げて一旦横倒し姿勢となった後に、作業船（Ａ）の周縁部（コベリ）に載せたまま滑らせる如く引き寄せて、その採取竿（Ｐ）のたも網（２０）を作業船（Ａ）の内部に臨ませれば良く、そうすれば一連の引き上げ操作を安楽にすばやく行うことができる。採取竿（Ｐ）がＦＲＰコンポジット製品として浮力を受けることも、その引き上げ操作の容易・円滑化に寄与する。
【００９４】
上記ウニの採取作業としては、その約２０個〜約３０個を単位量として、その採取竿（Ｐ）における海底への差し込み（下降）操作と逆な引き上げ（上昇）操作とを繰り返すことにより、その多量の採取目標物（Ｏ）を船上での安楽な作業姿勢のもとに効率良く採取し得るのである。
【００９５】
また、上記採取用具（Ｔ）を図７に例示したアワビの引っ掛けフック（２１）や、図８（ａ）（ｂ）に例示したサザエの掴みフォーク（２２）として、そのアワビやサザエの採取作業について説明すると、これらの作業中でも作業者（漁師）はやはり船上でのモニターテレビ（Ｍ）に表示された水中テレビカメラ（Ｃ）のライブ映像を目視・観察しながら、海底に生息しているアワビやサザエを次々と探し出し、採取竿（Ｐ）とその先端部の引っ掛けフック（２１）や掴みフォーク（２２）を船上から巧みに手技操作して、これらを効率良く採取することができる。但し、アワビやサザエの採取作業は上記ウニのそれと異なり、その１個づつを採取するたび毎に、採取竿（Ｐ）を海底から引き上げ操作して、作業船（Ａ）内へ取り込む必要がある。
【００９６】
何れにしても、水中テレビカメラ（Ｃ）は採取竿（Ｐ）の途中に取り付け固定されており、その船上のモニターテレビ（Ｍ）における映像表示画面（３９）の中央部に、採取竿（Ｐ）の先端部（採取用具）が位置決め固定された状態として、図１２のように表示され、その言わば背景となる映像だけが、採取竿（Ｐ）並びに水中テレビカメラ（Ｃ）の動きによって変化するため、採取目標物（Ｏ）を次々と探し出しやすく、その目標物（Ｏ）の１個づつに採取用具（Ｔ）を命中させる如く、誰でも確実に採取できる利点ある。
【００９７】
殊更、上記採取用具（Ｔ）を採取目標物（Ｏ）に応じて交換する場合に、モニターテレビ（Ｍ）のモード切替えスイッチ（４０）を操作して、その映像表示画面（３９）に表示される映像を、採取竿（Ｐ）における先端部（採取用具）の中心廻りに９０度づつ方向変換させ、その採取用具（Ｔ）の上側、下側、左側又は右側へ位置することとなるようにセットするならば、上記目採取目標物（Ｏ）の探索とその採取上の命中率をますます向上させることができ、著しく有益となる。
【００９８】
上記した各種採取作業の何れにあっても、その当日の作業を終えた時には、採取竿（Ｐ）から水中テレビカメラ（Ｃ）を取りはずして、その第１電気配線ケーブル（１１）と一緒に上記配線中継ボックス（Ｂ）の後室（Ｒ）内へ収納する。
【００９９】
その際、配線中継ボックス（Ｂ）を図３３のように前方へ所望の角度（好ましくは約３０度）（β）だけ傾斜させた姿勢状態において、その後室（Ｒ）内のカメラ受け入れ篭（６６）へ水中テレビカメラ（Ｃ）を収納すると共に、そのカメラ受け入れ篭（６６）を巻き芯として、これに長い第１電気配線ケーブル（１１）を整然と巻き付ければ良い。
【０１００】
他方、作業船（Ａ）の搭載バッテリ（１０）と接続している第２電気配線ケーブル（１２）を、そのバッテリ（１０）から取りはずして、上記配線中継ボックス（Ｂ）における前室（Ｆ）の下側へ巻き曲げ状態に収納する。
【０１０１】
そして、このような作業開始当初と同じ状態に後片付けを行った上、配線中継ボックス（Ｂ）をその支持スタンド（Ｓ）側の配線中継ボックス受けアーム（７１）から上方へ抜き出し、そのまま把手（６１）を握り持って帰宅すれば良い。
【０１０２】
その場合、上記配線中継ボックス（Ｂ）のみならず、その支持スタンド（Ｓ）も防犯上、作業船（Ａ）の周縁部（コベリ）から取りはずし、持ち帰ってもさしつかえないが、翌日以降も繰り返し採取作業するなどの必要性や希望があれば、上記支持スタンド（Ｓ）をその組み立てユニット化された全体として、作業船（Ａ）の周縁部（コベリ）へ取り付けた状態のままに放置しても良い。
【０１０３】
そうすれば、作業船（Ａ）に対する配線中継ボックス（Ｂ）の取付位置や高さ、方向性などが一定となり、作業者としては常に同じ作業方法を行えば良いので、採貝・採藻作業上の準備と後片付けが安楽になることとも相俟って、著しく便利である。
【０１０４】
尚、図示の実施形態では配線中継ボックス（Ｂ）の内部を垂直の仕切り壁板（４２）によって前後の２室（Ｆ）（Ｒ）に区成しているが、これに代えて上下の２室や左右の２室に区成しても良く、またその複数に細分せず、全体的な広い１室として、その内部へ水中テレビカメラ（Ｃ）とそのモニターテレビ（Ｍ）並びに第１、２電気配線ケーブル（１１）（１２）のすべてをまとめて収納してもさしつかえない。
【０１０５】
更に、図示実施形態の場合上記配線中継ボックス（Ｂ）の支持スタンド（Ｓ）として、据付け枠台（６９）と旋回支柱（７０）並びに配線中継ボックス受けアーム（７１）との合計３部品から組み立てユニット化されるものを採用し、その受けアーム（７１）から垂立する一対の水平な昇降ガイド凹条（８２）により、配線中継ボックス（Ｂ）側から張り出す一対の昇降凸条（６０）を受け止めるようになっているが、その支持スタンド（Ｓ）としては作業船（Ａ）の周縁部（コベリ）へ着脱自在に取り付け使用できるものであれば足り、またこれに配線中継ボックス（Ｂ）を言わばカセット又はカートリッジとして、着脱自在に装填し得る構成であれば良く、図示実施形態の構成だけに限らない。
【符号の説明】
【０１０６】
（１０）・バッテリ
（１１）・第１電気配線ケーブル
（１２）・第２電気配線ケーブル
（２０）・たも網
（２１）・引っ掛けフック
（２２）・掴みフォーク
（２３）・マッカ
（２４）・結束線材
（２５）・本体フード
（２６）・カメラレンズ
（２７）・白色ＬＥＤ
（２８）・フロントカバープレート
（２９）・レンズホルダー
（３０）・ピラー
（３１）・プリント配線基板
（３２）・ヘッドカバー
（３３）（３５）・Ｏリング
（３４）・テールカバー
（３６）・ゴムブッシュ
（３７ａ）（３７ｂ）・クランプ金具
（３８）・固定ボルト
（３９）・映像表示画面
（４０）・モード切替えスイッチ
（４１）・電源オン・オフスイッチ
（４２）・仕切り壁板
（４３）（４４）・囲い枠板
（４５）・防水バンド
（４６）・ネジ締結具
（４７）・仕切り桟
（４８）（４９）（５６）・開閉蓋
（５０）（５１）（５７）・枢支ピン（蝶番）
（５２）（５３）（５８）・操作レバー
（５４）（５５）（５９）・回動アーム
（６０）・昇降凸条
（６１）・把手
（６２ａ）（６２ｂ）・接続端子
（６３）・モニターテレビ保持ケース
（６６）・カメラ受け入れ篭
（６８）・カメラ押えパッド
（６９）・据付け枠台
（７０）・旋回支柱
（７１）・配線中継ボックス受けアーム
（７２ａ）（７２ｂ）・万力
（７３）（８０）・軸受け管
（７４）・回動ネジハンドル
（７５）（８１）・押えボルト
（７６）・軸受けナット
（７７）・押え座
（７８）・旋回プレート
（７９）（８６）・差込み脚管
（８２）・昇降ガイド凹条
（８３）・クランプ金具
（８４）・ネジ締結具
（８５）・台座
（８７）・傾斜限度規定ストッパー
（８８）・長孔
（Ａ）・作業船（ボート）
（Ｂ）・配線中継ボックス
（Ｃ）・水中テレビカメラ
（Ｆ）・前室
（Ｍ）・モニターテレビ
（Ｏ）・採取目標物
（Ｐ）・採取竿
（Ｒ）・後室
（Ｐ１）・元竿
（Ｐ２）・中継ぎ竿
（Ｐ３）・先竿
（Ｐ４）・先端アタッチメント
（Ｓ）・支持スタンド
（Ｔ）・採取用具
（θ）・視野角（画角）
（Ｘ−Ｘ）・水平軸線
（Ｙ１−Ｙ１）（Ｙ２−Ｙ２）・垂直軸線
（α）（β）（γ）．傾斜角度
【要約】      （修正有）【課題】アワビ、ウニ、サザエなどの採貝やワカメ、モズクなどの採藻を船上から便利良く行える作業システムを提供する。【解決手段】水中テレビカメラと、そのカメラと第１電気配線ケーブル１１を介して接続された状態のモニターテレビと、そのテレビから作業船Ａの搭載バッテリに接続される予定の第２電気配線ケーブル１２とをまとめて、開閉蓋付きの携帯可能な配線中継ボックスＢに収納すると共に、その中継ボックスを作業船の周縁部へ着脱自在の支持スタンドＳにより取り付け固定して、上記中継ボックスから引き出した水中テレビカメラを、船上から海底に向かい差し込む採取竿Ｐへ取り付け使用する一方、同じく中継ボックスから引き出した第２電気配線ケーブルを、上記搭載バッテリに接続使用して、モニターテレビを目視しながら採取竿の手技操作を行う作業システムである。【選択図】図１【図１】
0005954807.tif 000002
【図２】
0005954807.tif 000003
【図３】
0005954807.tif 000004
【図４】
0005954807.tif 000005
【図５】
0005954807.tif 000006
【図６】
0005954807.tif 000007
【図７】
0005954807.tif 000008
【図８】
0005954807.tif 000009
【図９】
0005954807.tif 000010
【図１０】
0005954807.tif 000011
【図１１】
0005954807.tif 000012
【図１２】
0005954807.tif 000013
【図１３】
0005954807.tif 000014
【図１４】
0005954807.tif 000015
【図１５】
0005954807.tif 000016
【図１６】
0005954807.tif 000017
【図１７】
0005954807.tif 000018
【図１８】
0005954807.tif 000019
【図１９】
0005954807.tif 000020
【図２０】
0005954807.tif 000021
【図２１】
0005954807.tif 000022
【図２２】
0005954807.tif 000023
【図２３】
0005954807.tif 000024
【図２４】
0005954807.tif 000025
【図２５】
0005954807.tif 000026
【図２６】
0005954807.tif 000027
【図２７】
0005954807.tif 000028
【図２８】
0005954807.tif 000029
【図２９】
0005954807.tif 000030
【図３０】
0005954807.tif 000031
【図３１】
0005954807.tif 000032
【図３２】
0005954807.tif 000033
【図３３】
0005954807.tif 000034
【図３４】
0005954807.tif 000035